(57)【要約】【課題】専用の捕虫器を不要とし、捕虫シートの配置領域が狭い場合にも良好な捕虫機能を発揮できるようにする。【解決手段】空気調和機の室内機は、吸込み口からフロントパネルの内側の空間に吸い込んだ空気を、熱交換部を経て吹出し口から吹き出す。フロントパネルの内側の空間に臨む内面側には、粘着面（２０ａ）および、凸部と凹部との少なくとも一方からなる粘着面積拡大部（２０ｃ）を有する捕虫シート（２０）が取り付けられている。【選択図】図７
2018096612.tif 000002
【特許請求の範囲】
【請求項１】
空気の吸込み口と、
空気の吹出し口と、
フロントパネルと、
送風機と、
熱交換部とを備え、
前記送風機の動作により、前記吸込み口から前記フロントパネルの内側の空間に吸い込まれた空気が、前記熱交換部を経て前記吹出し口から吹き出される空気調和機の室内機において、
前記フロントパネルの前記空間に臨む内面側には、粘着面を有する捕虫シートが取り付けられ、
前記捕虫シートは、凸部と凹部との少なくとも一方からなる粘着面積拡大部を有していることを特徴とする空気調和機の室内機。
【請求項２】
前記捕虫シートの前記粘着面積拡大部は、前記空間の相対的に空気の流速の速い領域に位置していることを特徴とする請求項１に記載の空気調和機の室内機。
【請求項３】
前記熱交換部に対する空気の流れの上流側、かつ前記空間を介して前記フロントパネルの内面と対向する位置にフィルタを備え、
前記捕虫シートの前記粘着面積拡大部は、前記捕虫シートと前記フィルタとの間隔が相対的に狭い領域に位置していることを特徴とする請求項１に記載の空気調和機の室内機。
【請求項４】
前記捕虫シートとして、前記粘着面積拡大部を有する捕虫シートが前記フロントパネルの前記空間に臨む内面に取り付けられ、
前記フロントパネルの内面における前記粘着面積拡大部に対向する面の形状は、前記前記粘着面積拡大部とは異なる形状であることを特徴とする請求項１から３のいずれか１項に記載の空気調和機の室内機。
【請求項５】
前記フロントパネルは、前記捕虫シートが前記フロントパネルの内面に沿って取り付けられることにより、前記捕虫シートに前記粘着面積拡大部を形成する面積拡大部形成部を内面に有していることを特徴とする請求項１から３のいずれか１項に記載の空気調和機の室内機。
【請求項６】
前記フロントパネルは、前記フロントパネルの内面側に取り付けられる面積拡大部形成部材を備え、
前記面積拡大部形成部材は、前記捕虫シートが前記面積拡大部形成部材の前記空間に臨む面に沿って取り付けられることにより、前記捕虫シートに前記粘着面積拡大部を形成する面積拡大部形成部を前記空間に臨む面に有していることを特徴とする請求項１から３のいずれか１項に記載の空気調和機の室内機。
【請求項７】
前記フロントパネルは筐体部に設けられ、
前記フロントパネルとして、筐体部と同じ色のものと、前記筐体部とは異なる黒色のものとを備え、それら各色のフロントパネル同士を交換可能であることを特徴とする請求項１から５のいずれか１項に記載の空気調和機の室内機。
【発明の詳細な説明】
【技術分野】
【０００１】
本発明は、前面パネルを備えた空気調和機の室内機に関する。
【背景技術】
【０００２】
近年、世界的に、虫、特に蚊が媒介する感染症が増加しており、一般家庭等での捕虫器の要求が高まっている。例えば、特許文献１には、内部に捕虫シートが取り付けられ、内部に入り込んだ虫を捕虫シートにて捕獲する捕虫器が開示されている。
【先行技術文献】
【特許文献】
【０００３】
【特許文献１】特開２００６−２３０２５８号公報
【特許文献２】特許第３９５１９３６号
【特許文献３】特許第５９２８２４６号
【特許文献４】特開平１０−２８２４９４号
【非特許文献】
【０００４】
【非特許文献１】エアコンの“常色”を変える〜三洋の「新・呼吸するエアコン」，2004年11月19日19時13分更新 ，［平成28年11月22日検索］インターネット<ＵＲＬ：http://www.itmedia.co.jp/lifestyle/articles/0411/19/news073.html>
【発明の概要】
【発明が解決しようとする課題】
【０００５】
ところが、特許文献１に記載の捕虫器は、虫取り専用の製品であり、虫取り用として別途購入する必要がある。また、上記捕虫器は、部屋に虫がいない季節には不要となる。また、一般に、捕虫器では虫の捕獲量が捕虫シートの面積に影響され易く、捕虫シートの面積が大きい方が好ましい。しかしながら、捕虫シートは、捕虫シートの配置領域の大きさや構造等により、十分な配置面積を確保できない場合がる。この点に関し、特許文献１に記載の捕虫器では、単に、前扉の内側の平坦面に平坦な状態に捕虫シートを取り付けているだけである。このため、上記の捕虫シートは、虫の捕虫において十分な捕虫機能を発揮できない可能性がある。
【０００６】
上記の問題は、例えば特許文献２および３に示すように、小型化およびデザイン性が重視されるエアコンディショナにおいて、前面パネル（化粧パネル）の内面に捕虫シートと取り付ける場合においても同様に生じる。
【０００７】
したがって、本発明は、専用の捕虫器を不要とし、かつ捕虫シートの配置領域が狭い場合であっても良好な捕虫機能を発揮することができる空気調和機の室内機の提供を目的としている。
【課題を解決するための手段】
【０００８】
上記の課題を解決するために、本発明の一態様に係る空気調和機の室内機は、空気の吸込み口と、空気の吹出し口と、フロントパネルと、送風機と、熱交換部とを備え、前記送風機の動作により、前記吸込み口から前記フロントパネルの内側の空間に吸い込まれた空気が、前記熱交換部を経て前記吹出し口から吹き出される空気調和機の室内機において、前記フロントパネルの前記空間に臨む内面側には、粘着面を有する捕虫シートが取り付けられ、前記捕虫シートは、凸部と凹部との少なくとも一方からなる粘着面積拡大部を有している。
【発明の効果】
【０００９】
本発明の一態様によれば、専用の捕虫器が不要であり、かつ捕虫シートの配置領域が狭い場合であっても良好な捕虫機能を発揮することができるという効果を奏する。
【図面の簡単な説明】
【００１０】
【図１】本発明の実施形態のエアコン室内機を斜め下方から見た場合の斜視図である。
【図２】図１に示したエアコン室内機のフロントパネルを開いた状態を斜め上方から見た場合の斜視図である。
【図３】図１に示したエアコン室内機の縦断面図である。
【図４】図３に示したフィルタの斜視図である。
【図５】図３に示したエアコン室内機の運転時の空気の流れを示す説明図である。
【図６】図１に示したエアコン室内機における、フロントパネルが取り付けられた筐体部を筐体部の内側から見た場合の斜視図である。
【図７】図７の（ａ）は、図５に示した捕虫シートの第１の例を示す側面図、図７の（ｂ）は、図５に示した捕虫シートの第２の例を示す側面図、図７の（ｃ）は、図５に示した捕虫シートの第３の例を示す側面図である。
【図８】図８の（ａ）は、本発明の他の実施形態のエアコン室内機が備えるフロントパネルの第１の例を示す縦断面図、図８の（ｂ）は、上記エアコン室内機が備えるフロントパネルの第２の例を示す縦断面図、図８の（ｃ）は、上記エアコン室内機が備えるフロントパネルの第３の例を示す縦断面図である。
【図９】図９の（ａ）は、図８の（ａ）に示したフロントパネルの内面に捕虫シートを取り付けた状態を示す縦断面図、図９の（ｂ）は、図８の（ｂ）に示したフロントパネルの内面に捕虫シートを取り付けた状態を示す縦断面図、図９の（ｃ）は、図８の（ｃ）に示したフロントパネルの内面に捕虫シートを取り付けた状態を示す縦断面図である。
【図１０】図１０の（ａ）は、図８に示したフロントパネルの内面に、捕虫シート固定部材により捕虫シートを固定した状態を示す縦断面図、図１０の（ｂ）は、上記フロントパネルの内面に捕虫シート固定部材により捕虫シートを固定した状態を示す正面図、図１０の（ｃ）は、上記捕虫シート固定部材による捕虫シートの固定状態および固定解除状態を示す縦断面図である。
【図１１】図１１の（ａ）は、本発明のさらに他の実施形態のエアコン室内機を示すものであって、図１に示したフロントパネルの内面側に１の面積拡大部形成部材を取り付けた状態示す縦断面図、図１１の（ｂ）は、上記フロントパネルの内面側に２の面積拡大部形成部材を取り付けた状態示す縦断面図、図１１の（ｂ）は、上記フロントパネルの内面側に第３の面積拡大部形成部材を取り付けた状態示す縦断面図である。
【図１２】図１２の（ａ）は、図１１の（ａ）に示した面積拡大部形成部材の外面に捕虫シートを取り付けた状態を示す縦断面図、図１２の（ｂ）は、図１１の（ｂ）に示した面積拡大部形成部材の外面に捕虫シートを取り付けた状態を示す縦断面図、図１２の（ｃ）は、図１１の（ｃ）に示した面積拡大部形成部材の外面に捕虫シートを取り付けた状態を示す縦断面図である。
【発明を実施するための形態】
【００１１】
〔実施形態１〕
本発明の実施形態を図面に基づいて以下に説明する。図１は、本実施形態のエアコンディショナの室内機（以下、単にエアコン室内機と称する）１を斜め下方から見た場合の斜視図である。図２は、図１に示したエアコン室内機１のフロントパネル１２を開いた状態を斜め上方から見た場合の斜視図である。図３は、図１に示したエアコン室内機１の縦断面図である。
【００１２】
（エアコン室内機１の構成）
図１から図３に示すように、エアコン室内機１は、外面を形成する筐体部１１を有し、前面にフロントパネル１２を有し、フロントパネル１２の下に風向板１３を有している。
【００１３】
フロントパネル１２は、上端部を中心に回転可能であり、手動操作によって開閉可能となっている。フロントパネル１２の下端部と風向板１３の上端部との間は、下吸込み口１４となっている。
【００１４】
風向板１３は、エアコン室内機１の運転状態において、自動で開閉駆動され、開状態において吹出し口１５を開放し、閉状態において吹出し口１５を塞ぐようになっている。筐体部１１の上壁部には上吸込み口１６が形成されている。
【００１５】
エアコン室内機１の内部には、フロントパネル１２の内側にフィルタ１７が設けられ、エアコン室内機１の中央部付近に送風機１８が設けられている。フィルタ１７と送風機１８との間には、熱交換部１９が設けられ、送風機１８の周りは空間部となっている。
【００１６】
（フィルタ１７の構成）
図４はフィルタ１７の斜視図である。図４に示すように、フィルタ１７は、フィルタとして機能する網部２１を格子状支持部（支持部）２２によって支持した構成である。本実施形態において、フィルタ１７は、エアコン室内機１の左右方向に合計２枚設けられ、図２に示したように、フロントパネル１２を開いた状態において、エアコン室内機１に対して着脱自在となっている。フィルタ１７の着脱は、エアコン室内機１に設けられた案内レールに案内された状態にて、ユーザが把持部１７ａを持ってフィルタ１７をスライドさせることにより行う。
【００１７】
（エアコン室内機１での空気の流れ）
図５は、エアコン室内機１の運転時の空気の流れを示す説明図である。図５に示すように、エアコン室内機１の運転時には、風向板１３が開状態となり、送風機１８が回転する。これにより、下吸込み口１４および上吸込み口１６から空気がエアコン室内機１の捕虫空間３１に吸い込まれる。捕虫空間３１は、フロントパネル１２の内側に存在し、フロントパネル１２および筐体部１１の上壁部とフィルタ１７との間の空間である。捕虫空間３１に吸い込まれた空気は、さらにフィルタ１７および熱交換部１９を通過して送風機１８の周りに取り込まれ、送風機１８によって吹出し口１５から室内へ吹き出される。なお、空気は、熱交換部１９を通過する際に、エアコンの運転の設定状態に応じて、除湿、冷却あるいは加熱される。
【００１８】
ここで、下吸込み口１４および上吸込み口１６から捕虫空間３１へ空気が吸い込まれる場合の空気の流速は、下吸込み口１４の方が上吸込み口１６よりも速くなっている。さらに、下吸込み口１４から吸い込まれた空気の捕虫空間３１内での流速は、下吸込み口１４に近い領域すなわち捕虫空間３１の下部の方が速くなっている。
【００１９】
（捕虫シート２０の概要および配置）
図６は、フロントパネル１２が取り付けられた筐体部１１を筐体部１１の内側から見た場合の斜視図である。
【００２０】
図３および図６に示すように、フロントパネル１２の内面には、捕虫シート２０が取り付けられる。捕虫シート２０は、虫を付着させて捕獲する粘着面２０ａを一方の面に有し、粘着面２０ａがフィルタ１７と対向するように（粘着面２０ａが捕虫空間３１に臨むように）フロントパネル１２に取り付けられている。フロントパネル１２に対する捕虫シート２０の取り付けは、フロントパネル１２に対する捕虫シート２０の貼り付け、あるいは固定部材を使用した捕虫シート２０の固定により行うことができる。
【００２１】
（捕虫シート２０の構成の詳細）
図７の（ａ）は、図５に示した捕虫シート２０の第１の例を示す側面図、図７の（ｂ）は、図５に示した捕虫シート２０の第２の例を示す側面図、図７の（ｃ）は、図５に示した捕虫シート２０の第３の例を示す側面図である。
【００２２】
図７の（ａ）に示す捕虫シート２０ｂ１は、Ｖ字形の山部谷部の凹凸の繰り返し形状からなる粘着面積拡大部２０ｃを下部に有している。図７の（ｂ）に示す捕虫シート２０ｂ２は、波形の山部谷部の凹凸の繰り返し形状からなる粘着面積拡大部２０ｃを下部に有している。図７の（ｃ）に示す捕虫シート２０ｂ３は、湾曲して膨らんだ凸形状となった粘着面積拡大部２０ｃを下部に有している。
【００２３】
これら、捕虫シート２０ｂ１〜２０ｂ３は、粘着面積拡大部２０ｃを有していることにより、単に全体が平坦面となっている場合よりも、粘着面２０ａの表面積を大きくすることができる。言い換えると、捕虫シート２０は、粘着面積拡大部２０ｃを有することにより、フロントパネル１２の内面の捕虫シート２０の配置領域の面積に対して粘着面２０ａの表面積を大きくすることができる。
【００２４】
なお、図７の（ａ）〜（ｃ）に示した捕虫シート２０ｂ１〜２０ｂ３では、粘着面積拡大部２０ｃは、下部のみに形成されている構成としたが、全体あるいは下部以外の一部に形成されていてもよい。また、捕虫シート２０ｂ３の粘着面積拡大部２０ｃは、凸形状とは逆向きの凹形状であってもよい。
【００２５】
また、捕虫シート２０ｂ１〜２０ｂ３は、粘着面積拡大部２０ｃの第１から第３の三つの例を示したものであり、粘着面積拡大部２０ｃの形状はそれら形状に限定されない。すなわち、粘着面積拡大部２０ｃは、捕虫シート２０の配置領域の寸法に対して、粘着面２０ａの表面積を大きくできる形状であればよい。例えば、捕虫シート２０ｂ１〜２０ｂ２では、粘着面積拡大部２０ｃは、上下方向に凹凸が繰り返し形成されたものであるが、左右方向に凹凸が繰り返し形成されたものであってもよい。したがって、粘着面積拡大部２０ｃは、捕虫シート２０の少なくとも一部に凹部と凸部との少なくとも一方からなる形状を有していればよい。
【００２６】
上述した捕虫シート２０の構成については、他の実施形態においても同様である。
【００２７】
（一部のみに粘着面積拡大部２０ｃを有する捕虫シート２０の好適な配置）
次に、一部のみに粘着面積拡大部２０ｃを有する捕虫シート２０の好適な配置について説明する。
【００２８】
エアコン室内機のフロントパネルの内面に平坦な状態の捕虫シートを配置してエアコン室内機を運転し、捕虫シートによる蚊の捕獲量を調べた。その結果、エアコン室内機の吸込み口から吸い込まれた空気の流れる空間（捕虫空間３１に相当）において、流速の速い領域に対応する捕虫シートの領域では、相対的に蚊の捕獲量が多くなることが分かった。その理由は次のように考えることができる。
【００２９】
例えば第１および第２の吸い込み口から空気を吸い込むエアコン室内機において、第１の吸い込み口から吸い込まれた流速の遅い空気中の蚊は、空気の流速が遅いので第１の吸込み口から機外へ脱出し易くなる。これに対し、第２の吸い込み口から吸い込まれた流速の速い空気中の蚊は、空気の流速が速いので、空気の流れに逆らって第２の吸い込み口から機外へ脱出し難く、その空間内で暴れる結果、捕虫シートの粘着面に付着し、捕獲され易くなる。
【００３０】
エアコン室内機１では、上記第１の吸込み口は上吸込み口１６であり、上記第２の吸込み口は下吸込み口１４である。さらに、捕虫空間３１内において空気の流速が速い領域は、下吸込み口１４に近い領域である。したがって、フロントパネル１２の内面に取り付けられた捕虫シート２０において、空気の流速の速い領域に対応する領域は、捕虫シート２０の下部である。そこで、捕虫シート２０は、図７の（ａ）〜（ｃ）に示したように、下部に粘着面積拡大部２０ｃを設けておけば、無駄に捕虫シート２０を大きくすることなく、効率よく蚊の捕獲量を増加させることができる。このように、捕虫シート２０の好適な配置は、捕虫空間３１内の相対的に空気の流速が速い領域に対応して粘着面積拡大部２０ｃを配置することである。
【００３１】
（エアコン室内機１の動作）
上記の構成において、エアコン室内機１の動作について以下に説明する。エアコン室内機１の運転時には、図５に示すように、上吸込み口１６および下吸込み口１４から空気が捕虫空間３１へ吸い込まれ、エアコン室内機１の付近に居た虫は、上吸込み口１６または下吸込み口１４から空気とともに捕虫空間３１へ吸い込まれる。捕虫空間３１は、上吸込み口１６および下吸込み口１４から脱出するものを除いて、ほぼ捕虫シート２０の粘着面２０ａに付着し、捕獲される。
【００３２】
この場合、前述したように、捕虫シート２０の粘着面２０ａにおいて、捕虫空間３１内の空気の流速の速い領域に対応する領域、すなわち捕虫シート２０の下部では、虫の捕獲量が多くなる。
【００３３】
（エアコン室内機１の利点）
エアコン室内機１は、フロントパネル１２の内面に取り付けた捕虫シート２０にて虫を捕獲することができるので、専用の捕虫器を不要としている。
【００３４】
また、捕虫シート２０は、少なくとも一部に粘着面積拡大部２０ｃを有しているので、捕虫シート２０の配置領域の面積に対して、粘着面２０ａの表面積を大きくすることができる。これにより、エアコン室内機１は、捕虫シート２０の配置領域が狭い場合であっても良好な捕虫機能を発揮することができる。
【００３５】
また、捕虫シート２０は、虫の捕獲量が多くなる、捕虫空間３１内の相対的に空気の流速の速い領域に粘着面積拡大部２０ｃが位置するように配置されている。したがって、無駄に捕虫シート２０を大きくすることなく、効率よく虫、特に蚊の捕獲量を増加させることができる。
【００３６】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００３７】
（一部のみに粘着面積拡大部２０ｃを有する捕虫シート２０のその他の好適な配置）
図５に示したエアコン室内機１において、フロントパネル１２の内面（フロントパネル１２の内面に取り付けられた捕虫シート２０）とフィルタ１７との間隔は、下吸込み口１４に近づくほど狭くなっている。捕虫シート２０とフィルタ１７との間隔が相対的に狭い領域では、下吸込み口１４から捕虫空間３１に吸い込まれた後、下吸込み口１４から脱出しようとする蚊は、捕虫シート２０の粘着面２０ａに付着し捕獲され易くなる。
【００３８】
そこで、捕虫シート２０は、図７の（ａ）〜（ｃ）に示した捕虫シート２０ｂ１〜２０ｂ３のように、捕虫シート２０とフィルタ１７との間隔が相対的に狭い領域に対応する領域である下部に粘着面積拡大部２０ｃを設けることが好ましい。これにより、無駄に捕虫シート２０を大きくすることなく、効率よく虫、特に蚊の捕獲量を増加させることができる。
【００３９】
このように、本実施形態のエアコン室内機１における捕虫シート２０の好適な配置は、捕虫空間３１内の捕虫シート２０とフィルタ１７との間隔が相対的に狭い領域に対応して粘着面積拡大部２０ｃを配置することである。その他の利点は、上述した実施形態１のエアコン室内機１の利点（捕虫シート２０を捕虫空間３１内の空気の流速の速い領域に粘着面積拡大部２０ｃが位置するように配置することによる利点以外の利点）と同様である。
【００４０】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００４１】
（フロントパネル４１の構成）
図８の（ａ）は、本実施形態のエアコン室内機１が備えるフロントパネル４１の第１の例を示す縦断面図、図８の（ｂ）は、本実施形態のエアコン室内機１が備えるフロントパネル４１の第２の例を示す縦断面図、図８の（ｃ）は、本実施形態のエアコン室内機１が備えるフロントパネル４１の第３の例を示す縦断面図である。
【００４２】
本実施形態のエアコン室内機１は、前記フロントパネル１２に代えて、図８に示すフロントパネル４１を備えている。前記実施形態では、捕虫シート２０は、捕虫シート２０自体が粘着面積拡大部２０ｃを有する構成としていた。これに対し、本実施形態では、フロントパネル４１が内面に粘着面積拡大部２０ｃを形成する形状を有し、フロントパネル４１の内面に沿って捕虫シート２０を取り付けることにより、捕虫シート２０に粘着面積拡大部２０ｃが形成される構成としている。
【００４３】
具体的には、フロントパネル４１は、図８に示すように、内面に面積拡大部形成部４１ｂを有している。面積拡大部形成部４１ｂは、捕虫シート２０の粘着面積拡大部２０ｃの形状に対応した形状を有している。
【００４４】
図８の（ａ）に示すフロントパネル４１（４１ａ１）は、図７の（ａ）の捕虫シート２０ｂ１に対応した面積拡大部形成部４１ｂ（４１ｂ１）を有する。図８の（ｂ）に示すフロントパネル４１（４１ａ２）は、図７の（ｂ）の捕虫シート２０ｂ２に対応した面積拡大部形成部４１ｂ（４１ｂ２）を有する。図８の（ｃ）に示すフロントパネル４１（４１ａ３）は、図７の（ｃ）の捕虫シート２０ｂ３に対応した面積拡大部形成部４１ｂ（４１ｂ３）を有する。
【００４５】
なお、図８の（ａ）〜（ｃ）に示したフロントパネル４１（４１ａ１〜４１ａ３）は、捕虫シート２０ｂ１〜２０ｂ３の場合と同様、面積拡大部形成部４１ｂ（４１ｂ１〜４１ｂ３）を有する第１から第３の三つの例を示したものであり、図８に示したものに限定されない。
【００４６】
また、フロントパネル４１（４１ａ１〜４１ａ３）は、面積拡大部形成部４１ｂにより、捕虫シート２０の下部に粘着面積拡大部２０ｃを形成するようになっている。しかしながら、面積拡大部形成部４１ｂは、前述したように、捕虫シート２０の少なくとも一部に粘着面積拡大部２０ｃを形成するようになっていればよい。
【００４７】
（面積拡大部形成部４１ｂによる粘着面積拡大部２０ｃの形成）
図９の（ａ）は、図８の（ａ）に示したフロントパネル４１の内面に捕虫シート２０を取り付けた状態を示す縦断面図、図９の（ｂ）は、図８の（ｂ）に示したフロントパネル４１の内面に捕虫シート２０を取り付けた状態を示す縦断面図、図９の（ｃ）は、図８の（ｃ）に示したフロントパネル４１の内面に捕虫シート２０を取り付けた状態を示す縦断面図である。
【００４８】
捕虫シート２０をフロントパネル４１の内面に取り付ける場合、捕虫シート２０は、図９の（ａ）〜（ｃ）に示すように、面積拡大部形成部４１ｂを有するフロントパネル４１の内面に沿うように例えば貼り付ける。この場合、捕虫シート２０は、粘着面２０ａとは反対側の面に粘着剤が塗布されていてもよい。
【００４９】
捕虫シート２０は、面積拡大部形成部４１ｂに沿うように取り付けられることにより、面積拡大部形成部４１ｂによって粘着面積拡大部２０ｃが形成される。
【００５０】
（フロントパネル４１を備えるエアコン室内機１の利点）
本実施形態のエアコン室内機１では、フロントパネル４１は捕虫シート２０が取り付けられる内面に面積拡大部形成部４１ｂを有している。したがって、捕虫シート２０は、それ自体が粘着面積拡大部２０ｃを有している必要がなく、フロントパネル４１の内面に取り付けられることにより、粘着面積拡大部２０ｃが形成される。したがって、捕虫シート２０は、汎用かつ廉価な平坦なシート形状のものを使用することができる。
【００５１】
（捕虫シート固定部材５１）
フロントパネル４１の内面への捕虫シート２０の取り付けは、前述したフロントパネル４１の内面への捕虫シート２０の貼り付けの他、捕虫シート固定部材５１を使用して行う構成であってもよい。
【００５２】
図１０の（ａ）は、フロントパネル４１の内面に捕虫シート固定部材５１により捕虫シート２０を固定した状態を示す縦断面図、図１０の（ｂ）は、フロントパネル４１の内面に捕虫シート固定部材５１により捕虫シート２０を固定した状態を示す正面図、図１０の（ｃ）は、捕虫シート固定部材５１による捕虫シート２０の固定状態および固定解除状態を示す縦断面図である。
【００５３】
図１０の（ａ）〜（ｃ）に示すように、フロントパネル４１の内面には、捕虫シート固定部材５１が設けられている。捕虫シート固定部材５１は、例えば上端部がフロントパネル４１の上端部に回転自在に固定され、図１０の（ｃ）に示すように、上端部を中心として、固定状態および固定解除状態に回転できるようになっている。捕虫シート固定部材５１は、固定状態において、フロントパネル４１の内面に捕虫シート２０を固定することができる。
【００５４】
捕虫シート固定部材５１は、図１０の（ｃ）に示すように、左右の両側に、上下方向に延びる側部押え部５１ａを有し、フロントパネル４１の面積拡大部形成部４１ｂの凹凸の凹部に対応する位置に、左右方向に延びる凹部押え部５１ｂを有している。捕虫シート固定部材５１の固定状態において、側部押え部５１ａは、捕虫シート２０の両側部を押え付け、凹部押え部５１ｂは、捕虫シート２０を面積拡大部形成部４１ｂの凹部に押え付ける。これにより、捕虫シート２０は、粘着面積拡大部２０ｃを形成した状態にて、フロントパネル４１の内面に固定される。
【００５５】
また、図１０の（ｃ）に示すように、捕虫シート固定部材５１の下端部には嵌合凸部５１ｃが形成され、フロントパネル４１の下部には嵌合凹部４１ｃが形成されている。嵌合凸部５１ｃは、捕虫シート固定部材５１の固定状態において、嵌合凹部４１ｃと嵌合する。これにより、捕虫シート固定部材５１の固定状態において、捕虫シート固定部材５１はフロントパネル４１に対して固定される。なお、嵌合凸部５１ｃと嵌合凹部４１ｃとは、捕虫シート固定部材５１に対するユーザの手動操作により、嵌脱自在である。
【００５６】
（捕虫シート固定部材５１を備えることの利点）
フロントパネル４１に捕虫シート固定部材５１を備えたエアコン室内機１では、フロントパネル４１の内面に対する捕虫シート２０の取り付け取り外しが容易である。その他の利点は、上述したフロントパネル４１を備えるエアコン室内機１の利点にて説明したとおりである。
【００５７】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００５８】
（面積拡大部形成部材６１の構成）
図１１の（ａ）は、図１に示したフロントパネル１２の内面側（内面に沿って）に第１の面積拡大部形成部材６１（６１ａ１）を取り付けた状態示す縦断面図、図１１の（ｂ）は、上記フロントパネル１２の内面側（内面に沿って）に第２の面積拡大部形成部材６１（６１ａ２）を取り付けた状態示す縦断面図、図１１の（ｂ）は、上記フロントパネル１２の内面（内面に沿って）側に第３の面積拡大部形成部材６１（６１ａ３）を取り付けた状態示す縦断面図である。
【００５９】
本実施形態のエアコン室内機１は、内面に面積拡大部形成部４１ｂを有するフロントパネル４１（図８参照）に代えて、図１１に示すように、内面が平坦面であるフロントパネル１２を備え、フロントパネル１２は面積拡大部形成部材６１を備えている。
【００６０】
先述の実施形態（図７参照）では、捕虫シート２０は、捕虫シート２０自体が粘着面積拡大部２０ｃを有する構成としていた。これに対し、本実施形態では、フロントパネル１２の内面に取り付ける面積拡大部形成部材６１が捕虫シート２０に粘着面積拡大部２０ｃを形成する形状を有する構成としている。これにより、面積拡大部形成部材６１に沿って捕虫シート２０を取り付けることにより、捕虫シート２０に粘着面積拡大部２０ｃが形成されるようになっている。
【００６１】
図１１の（ａ）に示す面積拡大部形成部材６１（６１ａ１）は、図７の（ａ）の捕虫シート２０ｂ１に対応した面積拡大部形成部６１ｂ（６１ｂ１）を有する。図１１の（ｂ）に示す面積拡大部形成部材６１（６１ａ２）は、図７の（ｂ）の捕虫シート２０ｂ２に対応した面積拡大部形成部６１ｂ（６１ｂ２）を有する。図１１の（ｃ）に示す面積拡大部形成部材６１（６１ａ３）は、図７の（ｃ）の捕虫シート２０ｂ３に対応した面積拡大部形成部６１ｂ（６１ｂ３）を有する。
【００６２】
なお、図１１の（ａ）〜（ｃ）に示した面積拡大部形成部材６１（６１ａ１〜６１ａ３）は、捕虫シート２０ｂ１〜２０ｂ３の場合と同様、面積拡大部形成部６１ｂ（６１ｂ１〜６１ｂ３）を有する第１から第３の三つの例を示したものであり、図１１に示したものに限定されない。
【００６３】
また、面積拡大部形成部材６１（６１ａ１〜６１ａ３）は、面積拡大部形成部６１ｂにより、捕虫シート２０の下部に粘着面積拡大部２０ｃを形成するようになっている。しかしながら、面積拡大部形成部６１ｂは、前述したように、捕虫シート２０の少なくとも一部に粘着面積拡大部２０ｃを形成するようになっていればよい。
【００６４】
（面積拡大部形成部材６１による粘着面積拡大部２０ｃの形成）
図１２の（ａ）は、図１１の（ａ）に示した面積拡大部形成部材６１の外面（捕虫空間３１に臨む面）に捕虫シート２０を取り付けた状態を示す縦断面図、図１２の（ｂ）は、図１１の（ｂ）に示した面積拡大部形成部材６１の外面（捕虫空間３１に臨む面）に捕虫シート２０を取り付けた状態を示す縦断面図、図１２の（ｃ）は、図１１の（ｃ）に示した面積拡大部形成部材６１の外面（捕虫空間３１に臨む面）に捕虫シート２０を取り付けた状態を示す縦断面図である。面積拡大部形成部材６１に対する捕虫シート２０の取り付けは、フロントパネル４１の内面に捕虫シート２０を取り付ける場合と同様にして行うことができる。
【００６５】
（面積拡大部形成部材６１を備えるエアコン室内機１の利点）
本実施形態のエアコン室内機１は、内面が平坦なフロントパネル１２の内面側に（内面に沿って）、面積拡大部形成部６１ｂを有する面積拡大部形成部材６１を取り付け、面積拡大部形成部材６１の外面（捕虫空間３１に臨む面）に捕虫シート２０を取り付ける構成である。したがって、面積拡大部形成部材６１の外面に捕虫シート２０を取り付けることにより、捕虫シート２０に粘着面積拡大部２０ｃが形成される。これにより、捕虫シート２０はそれ自体が粘着面積拡大部２０ｃを有している必要がない。また、フロントパネル１２は、フロントパネル４１のように面積拡大部形成部４１ｂ（図８参照）を有していなくてもよい。したがって、捕虫シート２０は汎用かつ廉価な平坦なシート形状のものを使用することができる。また、フロントパネル１２は面積拡大部形成部４１ｂを有するものに変更する必要がなく、従来のフロントパネル１２をそのまま使用することができる。
【００６６】
〔実施形態５〕
本発明のさらに他の実施形態を図面に基づいて以下に説明する。なお、説明の便宜上、前記実施形態にて説明した部材と同じ機能を有する部材については、同じ符号を付記し、その説明を省略する。
【００６７】
（フロントパネルを交換可能な構成）
本実施形態のエアコン室内機１は、室内に虫が多く存在する期間用（第１の期間用）のフロントパネルと、そうでない期間用（第２の期間用）のフロントパネルとを備えており、それらフロントパネル同士を交換可能となっている。第１の期間用のフロントパネルは、例えば夏場に使用し、第２の期間用のフロントパネルは、それ以外の期間に使用する。
【００６８】
エアコン室内機１は、筐体部１１の色が白色系であり、第２の期間用のフロントパネルも同様に白色系である。これに対し、第１の期間用のフロントパネルは、蚊を誘引し易い黒色である。
【００６９】
フロントパネルは、前述した、内面が平坦なフロントパネル１２、または内面に面積拡大部形成部４１ｂを有するフロントパネル４１である。フロントパネルがフロントパネル１２である場合、捕虫シート２０は、図７に示すように、捕虫シート２０自体が粘着面積拡大部２０ｃを有するものを使用する。あるいは、フロントパネル１２の内面側には、面積拡大部形成部６１ｂを有する面積拡大部形成部材６１を取り付け、面積拡大部形成部材６１に取り付けられた捕虫シート２０に粘着面積拡大部２０ｃが形成されるようにする。
【００７０】
（フロントパネルを交換可能であるエアコン室内機１の利点）
本実施形態のエアコン室内機１では、相対的に虫が少ない夏場以外の期間には、フロントパネルとして、第２の期間用のフロントパネル（筐体部１１と同じ白色系の色のフロントパネル）を使用することにより、エアコン室内機１全体として色の統一がとれた状態とすることができる。
【００７１】
一方、相対的に虫が多い夏場の期間には、フロントパネルとして、第１の期間用のフロントパネル（黒色の色のフロントパネル）を使用することにより、蚊をフロントパネルの近くに誘引して、下吸込み口１４および上吸込み口１６から空気とともに捕虫空間３１に取り込み易くなる。これにより、捕虫シート２０による蚊の捕獲量を増加させることができる。
【００７２】
なお、さらに捕虫シート２０を黒色とし、フィルタ１７を白色系としておけば、捕虫空間３１に取り込んだ蚊を捕虫シート２０に誘引し易くなり、好ましい。さらに、捕虫空間３１に光源を設けておけば、蚊をさらに捕虫空間３１に誘引し易くなる。
【００７３】
〔まとめ〕
本発明の態様１に係る空気調和機の室内機（エアコン室内機１）は、空気の吸込み口（下吸込み口１４，上吸込み口１６）と、空気の吹出し口１５と、フロントパネル１２，４１と、送風機１８と、熱交換部１９とを備え、前記送風機１８の動作により、前記吸込み口から前記フロントパネル１２，４１の内側の空間（捕虫空間３１）に吸い込まれた空気が、前記熱交換部１９を経て前記吹出し口１５から吹き出される空気調和機の室内機において、前記フロントパネル１２，４１の前記空間に臨む内面側には、粘着面２０ａを有する捕虫シート２０が取り付けられ、前記捕虫シート２０は、凸部と凹部との少なくとも一方からなる粘着面積拡大部２０ｃを有している。
【００７４】
上記の構成によれば、空気調和機の室内機の運転時には、送風機１８の動作により、吸込み口から吸い込まれた空気は、フロントパネル１２，４１の内側の空間に吸い込まれた後、熱交換部１９を経て吹出し口１５から吹き出される。
【００７５】
この場合、空気調和機の室内機の近くにいた虫は、空気とともに吸込み口からフロントパネル１２，４１の内側の空間に吸い込まれ、フロントパネル１２，４１の前記空間に臨む内面側に取り付けられた粘着面２０ａに付着し、捕獲される。
【００７６】
ここで、捕虫シート２０は、凸部と凹部との少なくとも一方からなる粘着面積拡大部２０ｃを有しているので、捕虫シート２０の配置領域の面積に対して、粘着面２０ａの表面積が大きくなっている。したがって、空気調和機の室内機では、捕虫シート２０の配置領域が狭い場合であっても良好な捕虫機能を発揮することができる。
【００７７】
本発明の態様２に係る空気調和機の室内機（エアコン室内機１）は、上記態様１において、前記捕虫シート２０の前記粘着面積拡大部２０ｃは、前記空間（捕虫空間３１）の相対的に空気の流速の速い領域に位置している。
【００７８】
上記の構成によれば、捕虫シート２０の粘着面積拡大部２０ｃは、フロントパネル１２，４１の内側の空間（捕虫空間３１）の相対的に空気の流速の速い領域に位置している。前記空間の相対的に空気の流速の速い領域では、前記空間に取り込まれた虫、例えば蚊は、空気の流れに逆らって吸い込み口から脱出し難く、空間内で暴れる結果、捕虫シート２０の粘着面２０ａに付着し易くなる。そこで、捕虫シート２０の粘着面積拡大部２０ｃをフロントパネル１２，４１の内側の空間（捕虫空間３１）の相対的に空気の流速の速い領域に位置するようにしておけば、無駄に捕虫シート２０を大きくすることなく、効率よく虫の捕獲量を増加させることができる。
【００７９】
本発明の態様３に係る空気調和機の室内機（エアコン室内機１）は、上記態様１において、前記熱交換部１９に対する空気の流れの上流側、かつ前記空間（捕虫空間３１）を介して前記フロントパネル１２，４１の内面と対向する位置にフィルタ１７を備え、前記捕虫シート２０の前記粘着面積拡大部２０ｃは、前記捕虫シート２０と前記フィルタ１７との間隔が相対的に狭い領域に位置している。
【００８０】
上記の構成によれば、捕虫シート２０の粘着面積拡大部２０ｃは、捕虫シート２０とフィルタ１７との間隔が相対的に狭い領域に位置している。捕虫シート２０とフィルタ１７との間隔が相対的に狭い領域では、吸込み口から前記空間（捕虫空間３１）に吸い込まれた後、吸込み口１４から脱出しようとする虫、例えば蚊は、捕虫シート２０の粘着面２０ａに付着し易くなる。そこで、捕虫シート２０の粘着面積拡大部２０ｃを捕虫シート２０とフィルタ１７との間隔が相対的に狭い領域に位置するようにしておけば、無駄に捕虫シート２０を大きくすることなく、効率よく蚊の捕獲量を増加させることができる。
【００８１】
本発明の態様４に係る空気調和機の室内機（エアコン室内機１）は、上記態様１から３のいずれか１態様において、前記捕虫シート２０として、前記粘着面積拡大部２０ｃを有する捕虫シート２０が前記フロントパネル１２の前記空間に臨む内面に取り付けられ、前記フロントパネル１２の内面における前記粘着面積拡大部２０ｃに対向する面の形状は、前記粘着面積拡大部２０ｃとは異なる形状である。
【００８２】
上記の構成によれば、捕虫シート２０として、粘着面積拡大部２０ｃを有する捕虫シート２０がフロントパネル１２の空間に臨む内面に取り付けられ、フロントパネル１２の内面における粘着面積拡大部２０ｃに対向する面の形状は、粘着面積拡大部２０ｃとは異なる形状、例えば平坦形状である。
【００８３】
すなわち、捕虫シート２０はそれ自体が予め粘着面積拡大部２０ｃを有している。したがって、捕虫シート２０に粘着面積拡大部２０ｃを形成するために、フロントパネル１２の内面に面積拡大部形成部４１ｂを形成することや、フロントパネル４１に面積拡大部形成部材６１を取り付けることが不要であり、フロントパネル１２，４１の構成を簡素化することができる。
【００８４】
本発明の態様５に係る空気調和機の室内機（エアコン室内機１）は、上記態様１から３のいずれか１態様において、前記フロントパネル４１は、前記捕虫シート２０が前記フロントパネル４１の内面に沿って取り付けられることにより、前記捕虫シート２０に前記粘着面積拡大部２０ｃを形成する面積拡大部形成部４１ｂを内面に有している。
【００８５】
上記の構成によれば、フロントパネル４１は、内面に面積拡大部形成部４１ｂを有しているので、捕虫シート２０をフロントパネル４１の内面に沿って取り付けることにより、捕虫シート２０には粘着面積拡大部２０ｃが形成される。
【００８６】
したがって、捕虫シート２０は、それ自体が粘着面積拡大部２０ｃを有している必要がなく、汎用かつ廉価な平坦なシート形状のものを使用することができる。
【００８７】
本発明の態様６に係る空気調和機の室内機（エアコン室内機１）は、上記態様１から３のいずれか１態様において、前記フロントパネル１２は、内面側に取り付けられる面積拡大部形成部材６１を備え、前記面積拡大部形成部材６１は、前記捕虫シート２０が前記面積拡大部形成部材６１の前記空間に臨む面に沿って取り付けられることにより、前記捕虫シート２０に前記粘着面積拡大部２０ｃを形成する面積拡大部形成部６１ｂを前記空間に臨む面に有している。
【００８８】
上記の構成によれば、フロントパネル１２の内面側に取り付けられる面積拡大部形成部材６１は、フロントパネル１２の内側の空間に臨む面に面積拡大部形成部６１ｂを有している。したがって、捕虫シート２０を面積拡大部形成部材６１の前記空間に臨む面に沿って取り付けることにより、捕虫シート２０に粘着面積拡大部２０ｃが形成される。
【００８９】
これにより、捕虫シート２０は、それ自体が粘着面積拡大部２０ｃを有している必要がなく、汎用かつ廉価な平坦なシート形状のものを使用することができる。さらに、フロントパネル１２は、従来のものをそのまま使用することができる。
【００９０】
本発明の態様７に係る空気調和機の室内機（エアコン室内機１）は、上記態様１から６のいずれか１態様において、前記フロントパネル１２，４１は筐体部１１に設けられ、前記フロントパネル１２，４１として、筐体部１１と同じ色のものと、前記筐体部１１とは異なる黒色のものとを備え、それら各色のフロントパネル１２，４１同士を交換可能である。
【００９１】
上記の構成によれば、フロントパネルは、筐体部と同じ色のものと、筐体部とは異なる黒色のものとを交換可能である。したがって、例えば相対的に虫が少ない夏場以外の期間には、筐体部と同じ色のフロントパネルを使用することができる。この場合には、空気調和機の室内機全体として色の統一がとれた状態とすることができる。
【００９２】
一方、例えば相対的に虫が多い夏場の期間には、筐体部とは異なる黒色のフロントパネルを使用することができる。この場合には、蚊が好む黒色のフロントパネルによって蚊を誘引し、空気調和機の室内機の内部へ取り込み易くなり、捕虫シートによる蚊の捕獲量を増加させることができる。
【００９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９４】
１    エアコン室内機（空気調和機の室内機）
１１    筐体部
１２    フロントパネル
１３    風向板
１４    下吸込み口
１５    吹出し口
１６    上吸込み口
１７    フィルタ
１８    送風機
１９    熱交換部
２０，２０ｂ１〜２０ｂ３    捕虫シート
２０ａ  粘着面
２０ｃ  粘着面積拡大部
３１    捕虫空間
４１，４１ａ１〜４１ａ３    フロントパネル
４１ｂ，４１ｂ１〜４１ｂ３    面積拡大部形成部
５１    捕虫シート固定部材
５１ａ  側部押え部
５１ｂ  凹部押え部
６１，６１ａ１〜６１ａ３    面積拡大部形成部材
６１ｂ，６１ｂ１〜６１ｂ３    面積拡大部形成部
【図１】
2018096612.tif 000003
【図２】
2018096612.tif 000004
【図３】
2018096612.tif 000005
【図４】
2018096612.tif 000006
【図５】
2018096612.tif 000007
【図６】
2018096612.tif 000008
【図７】
2018096612.tif 000009
【図８】
2018096612.tif 000010
【図９】
2018096612.tif 000011
【図１０】
2018096612.tif 000012
【図１１】
2018096612.tif 000013
【図１２】
2018096612.tif 000014